【手続補正書】
【提出日】平成15年12月3日(2003.12.3)
【手続補正１】
【補正対象書類名】明細書
【補正対象項目名】特許請求の範囲
【補正方法】変更
【補正の内容】
【特許請求の範囲】
【請求項１】
複数の可変表示領域を有し、該可変表示領域の各々に複数種類の識別情報を変動表示する可変表示遊技を行う可変表示器と、
遊技の進行に関する制御を行う遊技制御手段と、
該遊技制御手段からの指令に基づいて前記可変表示器で前記可変表示遊技の表示制御を行う表示制御手段と、を備え、
前記可変表示遊技の結果、前記各可変表示領域に停止表示された識別情報の組合せ態様が、複数種類ある特定の組合せ態様の何れかとなることに関連して特別遊技状態を発生させるものとし、
前記複数種類ある特定の組合せ態様は、
前記特別遊技状態の終了後に前記特別遊技状態の発生が容易な状態である特殊遊技状態を発生させる第１の組合せ態様と、該第１の組合せ態様以外の第２の組合せ態様とが含まれるようにした遊技機において、
前記複数種類ある特定の組合せ態様は、予め複数のグループに分類されるとともに、該各グループ間で前記第１の組合せ態様の含まれる割合が異なるように設定され、
前記表示制御手段は、
前記遊技制御手段において特別遊技状態の発生が決定されている場合、前記可変表示遊技にて、前記各可変表示領域の識別情報を前記特定の組合せ態様の何れかで仮停止させて前記特別遊技状態の発生を報知した後、前記識別情報を再度変動表示させて特定の組合せ態様で本停止させるように表示制御を行うものとし、
前記本停止させる特定の組合せ態様は、前記仮停止させた前記特定の組合せ態様が属するグループ内に含まれる特定の組合せ態様の何れかにすることを特徴とする遊技機。
【請求項２】
前記表示制御手段は、
前記仮停止させた特定の組合せ態様が属するグループ内に含まれる特定の組合せ態様による仮停止と再度変動とを繰り返してから本停止させることを特徴とする請求項１記載の遊技機。
【手続補正２】
【補正対象書類名】明細書
【補正対象項目名】０００１
【補正方法】変更
【補正の内容】
【０００１】
【発明の属する技術分野】
本発明は、可変表示器の各可変表示領域に停止表示された識別情報の組合せ態様が、複数種類ある特定の組合せ態様の何れかとなることに関連して特別遊技状態が発生し、該特別遊技状態の発生に基づき特別遊技状態を発生可能な遊技機に関する。


【手続補正３】
【補正対象書類名】明細書
【補正対象項目名】０００５
【補正方法】変更
【補正の内容】
【０００５】
【課題を解決するための手段】
上記課題を解決するため、
請求項１記載の発明は、複数の可変表示領域を有し、該可変表示領域の各々に複数種類の識別情報を変動表示する可変表示遊技を行う可変表示器と、
遊技の進行に関する制御を行う遊技制御手段と、
該遊技制御手段からの指令に基づいて前記可変表示器で前記可変表示遊技の表示制御を行う表示制御手段と、を備え、
前記可変表示遊技の結果、前記各可変表示領域に停止表示された識別情報の組合せ態様が、複数種類ある特定の組合せ態様の何れかとなることに関連して特別遊技状態を発生させるものとし、
前記複数種類ある特定の組合せ態様は、
前記特別遊技状態の終了後に前記特別遊技状態の発生が容易な状態である特殊遊技状態を発生させる第１の組合せ態様と、該第１の組合せ態様以外の第２の組合せ態様とが含まれるようにした遊技機において、
前記複数種類ある特定の組合せ態様は、予め複数のグループに分類されるとともに、該各グループ間で前記第１の組合せ態様の含まれる割合が異なるように設定され、
前記表示制御手段は、
前記遊技制御手段において特別遊技状態の発生が決定されている場合、前記可変表示遊技にて、前記各可変表示領域の識別情報を前記特定の組合せ態様の何れかで仮停止させて前記特別遊技状態の発生を報知した後、前記識別情報を再度変動表示させて特定の組合せ態様で本停止させるように表示制御を行うものとし、
前記本停止させる特定の組合せ態様は、前記仮停止させた前記特定の組合せ態様が属するグループ内に含まれる特定の組合せ態様の何れかにすることを特徴としている。
【手続補正４】
【補正対象書類名】明細書
【補正対象項目名】０００６
【補正方法】変更
【補正の内容】
【０００６】
この請求項１記載の発明によれば、リーチ状態において、複数種類ある特定の組合せ態様の何れかで各可変表示領域の識別情報を仮停止させた場合に、各可変表示領域の識別情報を再度変動表示させて、仮停止させた特定の組合せ態様が属するグループ内に含まれる特定の組合せ態様の何れかで各可変表示領域の識別情報を本停止させる表示制御を行うようにしたので、遊技者は、仮停止した特定の組合せ態様に基づいて、本停止する可能性のある特定の組合せ態様を絞り込むことができる。
従って、遊技者は、本停止する可能性のある特定の組合せ態様を予想するといった新たな興趣を得ることができる。
また、各グループ間で、第１の組合せ態様の含まれる割合が異なるように設定されているので、仮停止した特定の組合せ態様如何によって、特殊遊技状態の発生する可能性が異なるようになり、その結果として、遊技の興趣を向上させることができる。
【手続補正５】
【補正対象書類名】明細書
【補正対象項目名】０００７
【補正方法】変更
【補正の内容】
【０００７】
ここで、遊技機には、パチンコ遊技機、アレンジボール遊技機、雀球遊技機などの弾球遊技機や、パチスロ或いはスロットマシーンなどが含まれる。
識別情報には、数字、文字、記号およびキャラクタ、並びに、色彩など、視覚により識別可能な識別図柄（識別標識）等が含まれる。
特別遊技状態とは、通常遊技時に比べて遊技者に特に有利となる遊技状態（多数の遊技媒体（遊技価値）を獲得し易い状態）をいい、例えば、第１種のパチンコ遊技機における大入賞口（特別変動入賞装置ともいう。）の開放、第３種のパチンコ遊技機における権利発生の状態、或いは電動役物を複数備えた一般電役機における電動役物を連続して開放させる状態、スロットマシーンでのボーナスゲームなどがある。
仮停止とは、例えば、短時間の停止、或いは微動状態での停止など、未だ確定してない停止のことをいい、一方、本停止とは、その停止をもって確定となる停止のことをいう。
仮停止後に各可変表示領域の識別情報を再度変動表示させる方法としては、例えば、各可変表示領域の識別情報を揃えた状態で所定方向（縦方向、横方向など）にスクロール表示（全回転スクロール）させる方法や、所定の仮想軸線を中心に回転表示させる方法、或いは、各可変表示領域の識別情報を所定周期で切換表示させる方法などが挙げられる。また、再度変動の方法は、通常時と異なる変動表示の方法であってもよい。
【手続補正６】
【補正対象書類名】明細書
【補正対象項目名】０００８
【補正方法】変更
【補正の内容】
【０００８】
請求項２記載の発明は、請求項１記載の遊技機において、
前記表示制御手段は、
前記仮停止させた特定の組合せ態様が属するグループ内に含まれる特定の組合せ態様による仮停止と再度変動とを繰り返してから本停止させることを特徴としている。
【手続補正７】
【補正対象書類名】明細書
【補正対象項目名】０００９
【補正方法】変更
【補正の内容】
【０００９】
請求項２記載の発明によれば、リーチ状態において、複数種類ある特定の組合せ態様の何れかで各可変表示領域の識別情報を仮停止させた場合に、この仮停止させた特定の組合せ態様が属するグループ内に含まれる特定の組合せ態様で仮停止及び再度変動を複数回繰り返してからこのグループ内に含まれる特定の組合せ態様の何れかで各可変表示領域の識別情報を本停止させる表示制御を行うようにしたので、本停止する可能性のある特定の組合せ態様が、遊技者にとって把握し易くなる。
従って、例えば、特殊遊技状態の発生する可能性が高い状態であるのか低い状態であるのかを把握し易くなり、遊技者が遊技の興趣を得やすくなる。
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正２１】
【補正対象書類名】明細書
【補正対象項目名】００６５
【補正方法】変更
【補正の内容】
【００６５】
【発明の効果】
請求項１記載の発明によれば、リーチ状態において、複数種類ある特定の組合せ態様の何れかで各可変表示領域の識別情報を仮停止させた場合に、各可変表示領域の識別情報を再度変動表示させて、仮停止させた特定の組合せ態様が属するグループ内に含まれる特定の組合せ態様の何れかで各可変表示領域の識別情報を本停止させる表示制御を行うようにしたので、遊技者は、仮停止した特定の組合せ態様に基づいて、本停止する可能性のある特定の組合せ態様を絞り込むことができる。
従って、遊技者は、本停止する可能性のある特定の組合せ態様を予想するといった新たな興趣を得ることができる。
また、仮停止した特定の組合せ態様如何によって、特殊遊技状態の発生する可能性が異なるようになり、その結果として、遊技の興趣を向上させることができる。
また、本停止する可能性のある特定の組合せ態様が、遊技者にとって把握し易くなる。
従って、例えば、特殊遊技状態の発生する可能性が高い状態であるのか低い状態であるのかを把握し易くなり、遊技者が遊技の興趣を得やすくなる。
【手続補正２２】
【補正対象書類名】明細書
【補正対象項目名】００６６
【補正方法】変更
【補正の内容】
【００６６】
請求項２記載の発明によれば、リーチ状態において、複数種類ある特定の組合せ態様の何れかで各可変表示領域の識別情報を仮停止させた場合に、この仮停止させた特定の組合せ態様が属するグループ内に含まれる特定の組合せ態様で仮停止及び再度変動を複数回繰り返してからこのグループ内に含まれる特定の組合せ態様の何れかで各可変表示領域の識別情報を本停止させる表示制御を行うようにしたので、本停止する可能性のある特定の組合せ態様が、遊技者にとって把握し易くなる。
従って、例えば、特殊遊技状態の発生する可能性が高い状態であるのか低い状態であるのかを把握し易くなり、遊技者が遊技の興趣を得やすくなる。
【手続補正２３】
【補正対象書類名】明細書
【補正対象項目名】００６７
【補正方法】削除
【補正の内容】
【手続補正２４】
【補正対象書類名】明細書
【補正対象項目名】００６８
【補正方法】削除
【補正の内容】
【手続補正２５】
【補正対象書類名】明細書
【補正対象項目名】００６９
【補正方法】削除
【補正の内容】
【手続補正２６】
【補正対象書類名】明細書
【補正対象項目名】００７０
【補正方法】削除
【補正の内容】